(57)【要約】      （修正有）【課題】使用と据え置きとを同時に実現できる。【解決手段】赤外線検出装置の外部にハウジングが設けられた赤外線カメラにおいて、赤外線カメラは、さらに多機能台座２０を備え、赤外線検出装置のハウジング７の後端には、第１連結部１１が設けられ、多機能台座２０の上部には、第１連結部１１と嵌合して使用される第２連結部１２が設けられ、下部は、平面２５であり、多機能台座２０は、平面２５により水平の据え置きを実現する。赤外線検出装置は、ハウジング７の後端の第１連結部１１により多機能台座２０の上部に設けられた第２連結部１２と連結し、多機能台座２０の下部の平面２５により水平の据え置きを実現する。本考案が提供する赤外線カメラは、三脚等の付加設備を必要とすることなく、便利に据え置くことができる。【選択図】図４
0003132095.tif 000002
【実用新案登録請求の範囲】
【請求項１】
赤外線検出装置を含み、前記赤外線検出装置の外部にハウジングが設けられた赤外線カメラにおいて、
前記赤外線カメラは、さらに多機能台座（２０）を備え、
前記赤外線検出装置のハウジング（７）の後端には、第１連結部（１１）が設けられ、
前記多機能台座（２０）の上部には、前記第１連結部（１１）と嵌合して使用される第２連結部（１２）が設けられ、下部は、平面（２５）であり、
前記多機能台座（２０）は、前記平面（２５）により水平の据え置きを実現し、
前記赤外線検出装置は、ハウジング（７）の後端の第１連結部（１１）により多機能台座（２０）の上部に設けられた第２連結部（１２）と連結し、多機能台座（２０）の下部の平面（２５）により水平の据え置きを実現することを特徴とする赤外線カメラ。
【請求項２】
請求項１記載の赤外線カメラにおいて、
前記多機能台座（２０）の上部には、第１斜面（２１）及び第２斜面（２２）がさらに設けられ、
前記２つの斜面は、Ｖ字形を形成し、
前記第２連結部（１２）は、第２斜面（２２）上に設けられ、
前記赤外線検出装置のハウジング（７）は、前記第１斜面（２１）上に据え置かれ、
前記ハウジング（７）の後端の第１連結部（１１）は、前記第２斜面（２２）上の第２連結部（１２）と連結することを特徴とする赤外線カメラ。
【請求項３】
請求項１又は２記載の赤外線カメラにおいて、
前記ハウジング（７）の後端の第１連結部（１１）は、凹溝であり、
前記多機能台座（２０）の上部の第２連結部（１２）は、前記凹溝と嵌合して使用される凸条であることを特徴とする赤外線カメラ。
【請求項４】
請求項１記載の赤外線カメラにおいて、
前記ハウジング（７）の後端には、開閉可能な電池蓋（１０）が設けられ、
前記電池蓋（１０）の内部には、赤外線検出装置の中の電池が収納されていることを特徴とする赤外線カメラ。
【請求項５】
請求項１又は４記載の赤外線カメラにおいて、
前記多機能台座（２０）には、赤外線検出装置の中の電池を充電するための充電インタフェースがさらに設けられていることを特徴とする赤外線カメラ。
【請求項６】
請求項４記載の赤外線カメラにおいて、
前記ハウジング（７）の後端の第１連結部（１１）は、前記電池蓋（１０）上に位置することを特徴とする赤外線カメラ。
【請求項７】
請求項１記載の赤外線カメラにおいて、
前記多機能台座（２０）には、ＵＳＢインタフェース（２７）及び／又はオーディオインタフェース（２８）がさらに設けられていることを特徴とする赤外線カメラ。
【請求項８】
請求項１記載の赤外線カメラにおいて、
前記赤外線検出装置の赤外線光学レンズ（４）は、ハウジング（７）の前端に位置し、
前記赤外線光学レンズ（４）は、赤外線検出装置のシャッターが開いたとき、シャッターを通じて、吸収された赤外線放射を赤外線検出装置の赤外線検出器に導くことを特徴とする赤外線カメラ。
【請求項９】
請求項２記載の赤外線カメラにおいて、
前記赤外線検出装置の赤外線光学レンズ（４）は、ハウジング（７）の前端に位置し、
前記赤外線光学レンズ（４）は、赤外線検出装置のシャッターが開いたとき、シャッターを通じて、吸収された赤外線放射を赤外線検出装置の赤外線検出器に導き、
前記赤外線光学レンズ（４）の中心線とハウジング（７）の側面とがなす角度と、前記第１斜面（２１）と多機能台座（２０）の下部の平面（２５）とがなす角度と、が同じであることを特徴とする赤外線カメラ。
【請求項１０】
請求項８又は９記載の赤外線カメラにおいて、
前記ハウジング（７）には、前記赤外線光学レンズ（４）等を制御することに用いられる自己定義可能な多機能スイッチ（５）がさらに設けられ、
前記多機能スイッチ（５）は、前記赤外線光学レンズ（４）の下方に位置することを特徴とする赤外線カメラ。
【請求項１１】
請求項１又は２記載の赤外線カメラにおいて、
前記赤外線検出装置は、ハウジング（７）の上部に設けられる可視光線カムコーダ（１）、レーザヘッド（２）、及びフラッシュライト（３）のうちの一又は複数の光電部材をさらに含むことを特徴とする赤外線カメラ。
【請求項１２】
請求項１１記載の赤外線カメラにおいて、
前記赤外線検出装置の赤外線光学レンズ（４）は、ハウジング（７）の前端に位置し、
前記赤外線光学レンズ（４）は、赤外線検出装置のシャッターが開いたとき、シャッターを通じて、吸収された赤外線放射を赤外線検出装置の赤外線検出器である光電部材に導き、
前記光電部材は、前記赤外線光学レンズ（４）の上方に位置し、
前記ハウジング（７）には、前記赤外線光学レンズ（４）及び前記光電部材等を制御することに用いられる自己定義可能な多機能スイッチ（５）がさらに設けられ、
前記多機能スイッチ（５）は、前記赤外線光学レンズ（４）の下方に位置することを特徴とする赤外線カメラ。
【請求項１３】
請求項１記載の赤外線カメラにおいて、
前記赤外線検出装置のモニタ（６）は、ハウジング（７）の側面の回転軸によりハウジング（７）に連結されていることを特徴とする赤外線カメラ。
【請求項１４】
請求項１記載の赤外線カメラにおいて、
前記赤外線検出装置のハウジング（７）には、ハンドル（１６）がさらに設けられていることを特徴とする赤外線カメラ。
【請求項１５】
請求項１４記載の赤外線カメラにおいて、
前記ハンドル（１６）は、ハウジング（７）の側面に切り出された凹溝及びハウジング（７）の前記凹溝の部位を含むことを特徴とする赤外線カメラ。
【請求項１６】
請求項１４又は１５記載の赤外線カメラにおいて、
前記赤外線検出装置の操作パネル（８）は、ハウジング（７）の上部に位置し、且つ前記ハンドル（１６）の前面に位置することを特徴とする赤外線カメラ。
【請求項１７】
請求項１記載の赤外線カメラにおいて、
前記多機能台座（２０）の下部には、三脚差込み孔（２３）が設けられていることを特徴とする赤外線カメラ。
【考案の詳細な説明】
【技術分野】
【０００１】
本考案は、赤外線技術分野に関する。より詳しくは、赤外線カメラに関する。
【背景技術】
【０００２】
赤外線カメラは、赤外放射を検出するために広く使われている。一般に、赤外放射のスペクトルの範囲は、0.75μmから1000μmまでと定められており、赤外放射はスペクトルの範囲に従って、短波赤外線、中波赤外線、及び長波赤外線に分けられる。物体の赤外放射能は、物体自身の温度の高低に伴って変化する。したがって、赤外線カメラはこの特性に基づいて、さまざまな検出機能を果たすことができる。より詳しくは、赤外線カメラはセキュリティ監視のほかにも製品の検査、温度測定等の分野に使われる。
【０００３】
従来の赤外線カメラは、通常、その外形が可視光線カメラ、双眼鏡、銃形温度計または可視光線カムコーダ（visible-light camcorder）等に類似していた。赤外線カメラの外形が可視光線カメラや双眼鏡の外形に類似していると、ユーザはこのような赤外線カメラを両手で操作しなければならない。それ故に、このような赤外線カメラは実際の操作において種々の不便をもたらしていた。また、銃形温度計に類似していると、このような赤外線カメラは片手で操作できるものの、これは三脚で支えられなければ通常直立した位置を維持できない。三脚の携帯は、実際上の使用においては、通常面倒であり、持ち忘れ等の場合、ユーザは赤外線カメラをまっすぐに配置できなくなる。
【考案の開示】
【考案が解決しようとする課題】
【０００４】
本考案は、上記の問題点を鑑みてなされたもので、その目的は、便利に使用することができ、且つ直立した据え置きが可能な赤外線カメラを提供することにある。
【課題を解決するための手段】
【０００５】
本考案は、上記の問題点を解決するために、以下のように技術方案を提供する。
赤外線検出装置を含み、前記赤外線検出装置の外部にハウジングが設けられた赤外線カメラにおいて、前記赤外線カメラは、さらに多機能台座２０を含み、前記赤外線検出装置のハウジング７の後端には、第１連結部１１が設けられ、前記多機能台座２０の上部には、前記第１連結部１１と嵌合して使用される第２連結部1２が設けられ、下部は、平面２５であり、前記多機能台座２０は、前記平面２５により水平の据え置きを実現し、前記赤外線検出装置は、ハウジング７の後端の第１連結部１１により、多機能台座２０の上部の第２連結部1２と連結し、多機能台座２０の下部の平面２５により水平の据え置きを実現する。
【０００６】
前記多機能台座２０の上部には、第１斜面２１及び第２斜面２２がさらに設けられ、前記２つの斜面は、Ｖ字形を形成し、前記第２連結部１２は、第２斜面２２上に設けられ、前記赤外線検出装置のハウジング７は、前記第１斜面２１上に据え置かれ、前記ハウジング７の後端の第１連結部１１は、前記第２斜面２２上の第２連結部１２と連結する。
【０００７】
前記ハウジング７の後端の第１連結部１１は、凹溝であり、前記多機能台座２０の上部の第２連結部１２は、前記凹溝と嵌合して使用される凸条である。
前記ハウジング７の後端には、開閉式の電池蓋１０が設けられ、前記電池蓋１０の内部には、赤外線検出装置の中の電池が収納されている。
前記多機能台座２０には、赤外線検出装置の中の電池を充電するための充電インタフェースがさらに設けられている。
前記ハウジング７の後端の第１連結部１１は、前記電池蓋１０上に位置する。
前記多機能台座２０には、ＵＳＢインタフェース２７及び／又はオーディオインタフェース２８がさらに設けられている。
【０００８】
前記赤外線検出装置の赤外線光学レンズ４は、ハウジング７の前端に位置し、前記赤外線光学レンズ４は、赤外線検出装置のシャッターが開いたとき、シャッターを通じて、吸収された赤外線放射を赤外線検出装置の赤外線検出器に導く。
前記赤外線検出装置の赤外線光学レンズ４は、ハウジング７の前端に位置し、前記赤外線光学レンズ４は、赤外線検出装置のシャッターが開いたとき、シャッターを通じて、吸収した赤外線放射を赤外線検出装置の赤外線検出器に導き、前記赤外線光学レンズ４の中心線とハウジング７の側面とがなす角度と、前記第１斜面２１と多機能台座２０の下部の前記平面２５とがなす角度と、が同じである。
前記ハウジング７には、前記赤外線光学レンズ４を制御することに用いられる自己定義可能な多機能スイッチ５がさらに設けられ、前記多機能スイッチ５は、前記赤外線光学レンズ４の下方に位置する。
【０００９】
前記赤外線検出装置は、ハウジング７の上部に設けられる可視光線カムコーダ１、レーザヘッド２、及びフラッシュライト３のうちの一又は複数の光電部材をさらに含む。
前記赤外線検出装置の赤外線光学レンズ４は、ハウジング７の前端に位置し、前記赤外線光学レンズ４は、赤外線検出装置のシャッターが開いたとき、シャッターを通じて、吸収された赤外線放射を赤外線検出装置の赤外線検出器である光電部材に導き、前記光電部材は、前記赤外線光学レンズ４の上方に位置し、前記ハウジング７には、前記赤外線光学レンズ４及び前記光電部材等を制御することに用いられる自己定義可能な多機能スイッチ５がさらに設けられ、前記多機能スイッチ５は、前記赤外線光学レンズ４の下方に位置する。
【００１０】
前記赤外線検出装置のモニタ６は、ハウジング７の側面の回転軸によりハウジング７に連結されている。
前記赤外線検出装置のハウジング７には、ハンドル１６がさらに設けられている。
前記ハンドル１６は、ハウジング７の側面に切り出された凹溝及びハウジング７上の前記凹溝の部位を含む。
前記赤外線検出装置の操作パネル８は、ハウジング７の上部に位置し、且つ前記ハンドル１６の前面に位置する。
前記多機能台座２０の下部には、三脚差込み孔２３が設けられている。
【考案の効果】
【００１１】
本考案は、赤外線カメラのために多機能台座を設置することにより、赤外線検出装置を多機能台座の上に設置し、そのため、赤外線検出装置は、便利に使用できるとともに、多機能台座の下部の平面により水平の据え置きを実現することができるようになっている。これにより、ユーザに対して三脚等の付属設備の携帯の必要をなくし、いかなる場所ででも、大変簡単に据え置くことができ、或いはコンピュータ、モニタ等の設備を容易に接続でき、ユーザの使用に便利である。
本考案が提供する赤外線カメラでは、さらに、ハウジングにハンドルを設置することにより、ユーザが片手で容易に操作できるようになっている。
【００１２】
本考案の多機能台座には、さらに、充電インタフェースが設置され、これに応じて電池を赤外線検出装置の後端に設置する。これにより、多機能台座により赤外線検出装置に対して充電を行うことができ、ユーザの使用がさらに便利になる。
本考案の多機能台座には、例えば、ＵＳＢインタフェース、オーディオインタフェースの類の光電インタフェースをさらに設置することができ、これらのインタフェースにより赤外線カメラはコンピュータ等の外部設備に接続することができ、ユーザの使用がさらに便利になる。
【００１３】
そのほか、本考案の多機能台座には、三脚差込み孔をさらに設置することができ、これにより、多機能台座下部の平面により水平の据え置きの実現が簡単でない場合、ユーザが三脚により水平の据え置きを実現できるようになっている。
最後に、本考案では、赤外線光学レンズの中心線とハウジングの側面とがなす角度と、多機能台座の第１斜面の勾配と、が同じであり、これにより、ユーザの使用がさらに便利になる。
【考案を実施するための最良の形態】
【００１４】
本考案の赤外線カメラは、２つの部分から構成され、赤外線検出装置及び多機能台座を含む。赤外線検出装置は、赤外線イメージング及び関連機能を提供する。例えば、赤外線検出装置は、具体的に、赤外線検出器、赤外線光学レンズ、操作パネル、及び表示装置などを含む。さらに、赤外線検出装置の外部には、ハウジングが設けられている。多機能台座は、ハウジング７に対し分離可能な台座であり、赤外線カメラのために直立の機能を主に提供する。
【実施例】
【００１５】
次に、図面及び実施例を参照しながら本考案の赤外線カメラについて詳しく説明する。
図１〜図１０は、本考案により提供される赤外線カメラの好適な実施例を示す。図１〜図３からわかるように、この赤外線カメラは、赤外線光学レンズ４、自己定義可能な多機能スイッチ５、モニタ６、ハウジング７、操作パネル８、ハンドル１６、及び多機能台座２０を含む。図１からわかるように、この赤外線カメラは、可視光線カムコーダ１、レーザヘッド２、フラッシュライト３をさらに含む。もちろん、本分野の普通の技術者は、本考案の赤外線カメラが上述の全ての部材を含むことができることを想到でき、いくつかの部材だけを含むことができることにも想到できる。例えば、赤外線光学レンズ４、ハウジング７、及び操作パネル８だけを含むことができ、必要に応じてその他の部材をさらに設置することもできる。例えば、ユーザが赤外線カメラを便利に使用できるように、特にユーザが片手で赤外線カメラを使用できるように、赤外線カメラにハンドル１６を加えることができる。しかも、上述のいくつかの部材は、具体的な必要に応じて拡張或いは整合させることができ、その他の部材を赤外線カメラにさらに設置することもできる。さらに、代替方式を用いて部材の互換を行うこともできる。
【００１６】
図６に示すように、本考案の装置は、ハウジング７を含む。このハウジング７の後端には、第１連結部１１が設けられている。図７に示すように、本考案の多機能台座２０の上部には、赤外線検出装置の据え付けに用いられる第２連結部１２が設けられている。多機能台座２０の下部には、平面２５が設けられている。赤外線検出装置及び多機能台座２０は、いずれも、この平面２５により水平の据え置きが実現される。ハウジング７の第１連結部１１を多機能台座２０上部の第２連結部１２に据え付けることにより、赤外線検出装置を多機能台座２０の上に据え付け、さらに多機能台座２０の下部の平面２５により水平の据え置きを実現する。
【００１７】
上記ハウジング７の第１連結部１１と多機能台座２０の第２連結部１２とは、任意の連結方式を採用することができ、多機能台座２０への赤外線検出装置の安定した据え付けさえ保証できればよい。本考案の具体的な実施例が採用した方式は、図６及び図７に示すように、ハウジング７の第１連結部１１は凹溝であり、多機能台座２０のこれに対応する第２連結部１２は凸条である。赤外線検出装置を多機能台座２０に据え付けるとき、多機能台座２０の前記凸条をハウジング７の前記凹溝に挿入し、これによって赤外線検出装置を多機能台座２０上に固定する。
【００１８】
そのほか、赤外線検出装置には、電池を設置する必要がある。この電池は、ハウジング７の後端に設置できる。電池の取り出しの便利のために、ハウジング７の後端を開閉可能にしてもよい。具体的には、図６に示すように、ハウジング７の後端には、開閉可能な電池蓋１０を設置してもよい。この電池蓋１０には上記第１連結部１１が設けられ、さらに、電池蓋１０は、ヒンジによりハウジング７に連結している。また、このヒンジは、具体的には、ハウジング７下部の底の端に設置することができる。
【００１９】
電池蓋１０及びヒンジを設置した後、赤外線検出装置を多機能台座２０に容易に据え付けるために、多機能台座２０の相応する部分に凹所２４（図７）を設けることができる。この部分は、具体的には、第２連結部１２の前面に位置するべきであり、これによって、赤外線検出装置の多機能台座２０への据え付けを、このヒンジが妨害しないようにすることができる。
赤外線検出装置の中に電池を設置した後、さらに、多機能台座２０に充電インタフェース２６を設置することができ、設置により、多機能台座２０の充電インタフェース２６により赤外線検出装置の中の電池に対して充電を行うことができるようになる。
【００２０】
同様に、多機能台座２０には、例えば、ＵＳＢインタフェース２７、オーディオインタフェース２８等のその他のインターフェースをさらに設置することができ、設置により、赤外線検出装置を多機能台座２０に据え付けたとき、多機能台座２０のＵＳＢインタフェース２７、オーディオインタフェース２８等を使用することができるようになる。
赤外線検出装置は、多機能台座２０上に直立に据え付けて設置することができる。この状況では、多機能台座２０の上部は、平面とすることができる。他に、多機能台座２０上における赤外線検出装置の安定した据え付けを保証するために、ハウジング７の後端の大きさに対応する窪みを多機能台座２０に設けることができる。そして、スリットの類の第２連結部１２を、この窪みに設ける。
【００２１】
ユーザの使用の便利のために、もちろん、設置によって、赤外線検出装置を９０度よりも小さい角度で多機能台座２０の上に据え付けることもできる。例えば、それを４５度の角度で多機能台座２０の上に据え付ける。９０度の角度より小さい角度で据え付けるとき、多機能台座２０の上部に対応する角度の斜面を設ける必要があり、これによって赤外線検出装置を傾斜して据え置きをしたときの使用角度を保証するとともに、赤外線検出装置の多機能台座２０における安定した据え置きを保証する。例えば、図４に示すように、多機能台座２０の上部には、２つの斜面、すなわち第１斜面２１、第２斜面２２を設けることができ、２つの斜面はＶ字形をなし、第２連結部１２は、第２斜面２２に設けられる。赤外線検出装置を据え付けるとき、赤外線検出装置のハウジング７を第１斜面２１の上に据え置くことができ、ハウジング７の後端の第１連結部１１と第２斜面２２の第２連結部１２とが連結する。これによって、赤外線検出装置を多機能台座２０の上に固定する。
【００２２】
そのほか、多機能台座の使用材料を減少させるとともに、多機能台座２０の安定した据え置きを保証するために、第１斜面２１と多機能台座２０の上部との間の結合部２９の外側に凹面を設けることができる。
赤外線カメラのさらに便利な使用のために、多機能台座２０の底部に三脚差込み孔２３を設けることができる。これによって、ユーザは、平坦でない面に赤外線カメラを据え置くとき、三脚により赤外線カメラを据え置くことができるようになる。
【００２３】
ユーザの使用の便利のために、赤外線検出装置を設計するとき、赤外線検出装置のハウジング７にハンドル１６を設けることができる。例えば、赤外線検出装置のハウジング７に近い中間の位置に設置して、片手で握るのに適するようにする。具体的には、ハウジング７の本体をわりに細長い直方体とし、この直方体の断面の面積の大きさを、片手で握るのに便利なものにする。例えば、この直方体の幅を80〜120mm、高さを40〜65mmにすることができる。さらに、ユーザの操作習慣に合わせてハウジング７に手の指の形状をした凹溝を設けることができ、この凹溝の具体的な形状は、図１０に示すようなものになり、これによって、ユーザが片手で便利に操作を行うようになる。
【００２４】
そのほか、赤外線検出装置の操作パネル８をハンドル１６の前面に設置することができる。これにより、ユーザは、赤外線カメラを使用するとき、このハンドル１６により片手で赤外線カメラを握り、このハンドル１６を握る手で赤外線カメラの操作パネル８等の部材に対して操作を行うことができるようになる。もちろん、このハンドル１６は、必要に応じてその他の方式を採用することができ、ユーザの片手での操作に便利であればよい。
【００２５】
赤外線検出装置は、一般に、赤外線光学レンズ、表示装置、ハウジング、及び操作パネルを含む。
本考案では、赤外線光学レンズ４は、具体的に、ハウジング７の前端に設置することができる。この赤外線光学レンズ４は、その他の一又は複数の赤外線光学レンズと、一の赤外線光学レンズシステムを形成することもできる。赤外線光学レンズ４は、赤外線検出装置のシャッターが開いたとき、シャッターを通じて、吸収された赤外線放射を赤外線検出装置の赤外線検出器に導く。
赤外線検出装置が９０度より小さい角度で多機能台座２０に据え付けられる状況では、ユーザの使用の便利のために、赤外線光学レンズ４の中心線とハウジング７の側面とがなす角度と、第１斜面２１と多機能台座２０の下部の平面２５とがなす角度と、を同じにできる。そのうち、赤外線光学レンズ４の中心線は、その光の軸と平行である。
【００２６】
操作パネル８は、ハウジング７の頂部に設けられている。図８に示す操作パネル８は、八の字の形状をした２つの押しボタンを有し、さらに単独で押すことが可能な押しボタンを含む。もちろん、本分野の技術者は、この操作パネル８を他の方式で設計できることに想到することができ、ユーザに制御押しボタンを提供することさえできればよく、ここでは詳細な説明はしない。
赤外線検出装置には、自己定義可能な多機能スイッチ５をさらに設置することができ、この多機能スイッチ５により赤外線光学レンズ４を開閉する。操作の便利のために、この多機能スイッチ５は、赤外線光学レンズ４の下端に設置することができる。
【００２７】
赤外線検出装置には、可視光線カムコーダ１、レーザヘッド２、及びフラッシュライト３のうちの一又は複数を設置することができ、これらの光電部材は、設置により、自己定義可能な多機能スイッチ５によりそのＯＮ・ＯＦＦを例えば、循環的に制御できる。これらの光電部材は、ハウジング７の上部に設置することができ、具体的には、赤外線光学レンズ４の上端に設置することができる。可視光線カムコーダ１は、放射を検出することにより可視光スペクトルの範囲内において、静止画像を捕捉、またはビデオを録画するために用いられる。なお、このビデオはオーディオ信号を含むことができる。レーザヘッド２は、可視レーザビームを発生することができ、物体を照射できる。したがって、赤外線カメラが画像を捕捉した場合、照射された物体は画像の中央部、または中央に近い部位に位置する。フラッシュライト３は、光線を発射して物体を照らし、これによって、可視光線カムコーダ１の撮像を便利にする。
【００２８】
通常、ハウジング７には可視光線カムコーダ１、レーザヘッド２、及びフラッシュライト３が設けられており、光学信号を送信又は受信するために、いずれも、ハウジング７上にそれぞれに対応する開口を設ける必要がある。この３つの開口は、必要に応じて、ハウジング７の上での異なる位置にそれぞれ配置可能である。例えば、これら３つの開口は、便宜上その中心を一直線にのせ、且つこの直線が多機能台座２０下端の平面２５に平行になるように設計してもよい。
【００２９】
赤外線検出装置の表示装置は、通常、ファインダ或いはモニタの類の設備であってもよい。モニタであれば、ハウジング７の側面に設置することができ、さらに、回転軸によりハウジング７の側面に設置することができる。ハウジング７に設けたハンドル１６が凹溝を有する場合、このモニタ６及びこの凹溝を、それぞれハウジング７の両側面に設けることができる。具体的には、この第１回転軸を、ハウジング７の側面において、多機能台座２０下部の平面２５に平行に設置できる。この第１回転軸により、モニタ６は、ハウジング７の側面で開閉できる。
【００３０】
そのほか、ユーザによるこのモニタ６の便利な使用のために、すなわち、ユーザがモニタ６を異なる角度に変えることで、画像をさらに良く観察できるように、さらに、別の回転軸、すなわち第２回転軸を設置することができる。この第２回転軸は第１回転軸と連結し、第２回転軸も多機能台座２０下端の平面２５に平行である必要がある。さらに、第２回転軸が第１回転軸と一定の角度をなす必要があり、第２回転軸を第１回転軸と垂直にするのが好ましい。図８に示すモニタ６は、この２つの回転軸により、一定の角度に開かれている。図５に示すモニタ６は、この２つの回転軸により、ハウジング７の側面に閉じられている。このモニタ６が保護する表示画面は、赤外線カメラが捕捉した画像を表示することに用いられ、これらの画像は、赤外線検出装置が撮影した赤外線画像であってもよく、可視光線カムコーダ１が撮影した画像又はビデオであってもよい。
【００３１】
図１１は、本考案の赤外線カメラに設けられた赤外線検出装置の光電部分の好適な実施例である。もちろん、当該技術分野の普通の技術者は、必要に応じて、この部分の部材に対して各種の変化、等価変換、及び改良を行うことが可能である。具体的には、図１１に示す赤外線検出装置は赤外線光学レンズ５１０、シャッター５１２、赤外線検出器５２０、ドライバー回路５２２、電源５３０、アナログ−デジタル変換器５４０、信号処理部材５５０、デジタル−アナログ変換器５６０,５６２,５６４、画像エンコーダ５７０、ディスプレイ５８０、及びコントローラー５８２を含んでいる。
【００３２】
これらのうち、赤外線光学レンズ５１０は赤外放射を吸収し、シャッター５１２が開いた時点で、シャッター５１２により赤外放射を導いて通す。これによって、赤外線検出器５２０は赤外線放射を検出することができるようになる。なお、赤外線光学レンズ５１０は、具体的には、図１中の赤外線光学レンズ４であってもよい。
赤外線検出器５２０はドライバー回路５２２で発生する信号により駆動された後、検出された赤外放射に応じてそれに対応する電気信号を発生する。この電気信号は、アナログ−デジタル変換器５４０によりデジタル信号に変換され、信号処理部材５５０に転送される。
【００３３】
信号処理部材５５０は受信したデジタル信号に対して処理を行う。この信号の中にはアナログ−デジタル変換器５４０から転送された信号のほかに、コントローラー５８２から転送された信号をも含むことができる。そのうち、コントローラー５８２から信号処理部材５５０に転送される信号は、具体的には、マイクロフォンから受信したオーディオ入力信号であってもよい。
【００３４】
信号処理部材５５０により処理された後のデジタル信号はデジタル−アナログ変換器５６０,５６２,５６４に転送され、これらのデジタル−アナログ変換器はこのデジタル信号をアナログ信号に変換し、変換されたアナログ信号は、画像エンコーダ５７０に転送される。画像エンコーダ５７０は受信したアナログ信号に応じてそれに対応する表示信号を発生し、この表示信号をディスプレイ５８０に転送する。また、画像エンコーダ５７０からディスプレイ５８０に転送された表示信号には、オーディオ信号を含んでもよい。なお、画像エンコーダ５７０により発生される信号は、赤外線カメラにおける多機能台座２０のＵＳＢインタフェース２７を介して外部のコンピュータ、外部のテレビ、及び外部の記憶装置に転送されてもよい。
【００３５】
本考案の赤外線カメラには、さらに、マイクロフォン、スピーカ、及び記憶装置を設けてもよい。もちろん、ＵＳＢインタフェース２７を介して外部のマイクロフォン、スピーカ、及び記憶装置を赤外線カメラに接続してもよい。
コントローラー５８２は、マイクロフォンから受信したオーディオ入力信号を信号処理部材５５０へ転送するとともに、信号処理部材５５０により転送されたデジタル信号をも受信でき、さらに、このデジタル信号に応じてそれに対応するオーディオ出力信号を発生し、このオーディオ出力信号をスピーカに転送する。コントローラー５８２は、デジタル信号及びオーディオ信号を記憶装置に記憶することもできる。
【００３６】
また、赤外線検出装置は、さらに、電源５３０をも含んでいる。電源５３０は、各部材へ電気を供給するために用いられるものであり、具体的には、電源回路と電池を含んでいる。
なお、図１１に示す光電部分の赤外線検出器５２０、ドライバー回路５２２、アナログ−デジタル変換器５４０、信号処理部材５５０、デジタル−アナログ変換器５６０,５６２,５６４、画像エンコーダ５７０、及びコントローラー５８２は、すべてハウジング７の中に位置する。
上述のものはあくまでも本考案の実施の形態であって、本考案を限定して解釈するものではない。
【図面の簡単な説明】
【００３７】
【図１】本考案の赤外線カメラの正面図。
【図２】本考案の赤外線カメラの背面図。
【図３】本考案の赤外線カメラの右側面図。
【図４】本考案の赤外線カメラの右前から見た斜視図。
【図５】本考案の赤外線カメラの右後から見た斜視図。
【図６】本考案の赤外線カメラの赤外線検出装置の右後から見た斜視図。
【図７】本考案の赤外線カメラの多機能台座の右後から見た斜視図。
【図８】本考案の赤外線カメラにおいてモニタを開いたときの右後から見た斜視図。
【図９】本考案の赤外線カメラにおいてモニタを開いたときの右下から見た斜視図。
【図１０】本考案の赤外線カメラの左側面図。
【図１１】本考案の赤外線カメラの赤外線検出装置の電気模式図。
【符号の説明】
【００３８】
１  可視光線カムコーダ
２  レーザヘッド
３  フラッシュライト
４  赤外線光学レンズ
５  多機能スイッチ
６  モニタ
７  ハウジング
８  操作パネル
１０  電池蓋
１１  第１連結部
１２  第２連結部
１６  ハンドル
２０  多機能台座
２１  第１斜面
２２  第２斜面
２３  三脚差込み孔
２４  凹所
２５  平面
２６  充電インタフェース
２７  ＵＳＢインタフェース
２８  オーディオインタフェース
２９  結合部
【図１】
0003132095.tif 000003
【図２】
0003132095.tif 000004
【図３】
0003132095.tif 000005
【図４】
0003132095.tif 000006
【図５】
0003132095.tif 000007
【図６】
0003132095.tif 000008
【図７】
0003132095.tif 000009
【図８】
0003132095.tif 000010
【図９】
0003132095.tif 000011
【図１０】
0003132095.tif 000012
【図１１】
0003132095.tif 000013